【手続補正書】
【提出日】平成24年11月7日(2012.11.7)
【手続補正１】
【補正対象書類名】特許請求の範囲
【補正対象項目名】全文
【補正方法】変更
【補正の内容】
【特許請求の範囲】
【請求項１】
被写体からの光を結像するための撮影レンズと、
前記撮影レンズにより結像された像を電気信号に変換する撮像手段と、
前記撮像手段の出力に基づき前記被写体の輝度情報を取得する被写体輝度取得手段と、
前記被写体輝度取得手段の取得した前記輝度情報に基づいて露出を制御する制御手段と、
前記被写体輝度取得手段が前記輝度情報を取得する際の前記撮影レンズの光学状態を示す情報を記憶する記憶手段を有し、
前記制御手段は、過去に前記被写体輝度取得手段が前記輝度情報を取得した際に前記記憶手段に記憶した前記撮影レンズの前記光学状態を示す情報と、最新の前記輝度情報を取得する際の前記撮影レンズの前記光学状態を示す情報とに基づいて、前記被写体輝度取得手段により前記輝度情報の取得を再度実行させるか否かを判断する
ことを特徴とするカメラ。
【請求項２】
前記撮像手段の出力に基づき、前記被写体の結像位置を撮像面に合わせるように前記撮影レンズを駆動して合焦させる焦点調節手段を有し、
前記制御手段は、前記焦点調節手段が前記撮影レンズを合焦させた後に、前記被写体輝度取得手段により前記輝度情報の取得を再度実行させるか否かを判断する
ことを特徴とする請求項１に記載のカメラ。
【請求項３】
前記撮影レンズは、前記制御手段により制御されて通過する光束を制限する絞り手段と、
前記焦点調節手段により駆動される前記撮影レンズの焦点調節レンズ群の位置を検出する位置検出手段と、を有し、
前記撮影レンズの光学状態を示す情報は、前記絞り手段にて設定される絞り値と前記位置検出手段により検出される前記焦点調節レンズ群の位置である
ことを特徴とする請求項２に記載のカメラ。
【請求項４】
前記制御手段は、前記位置検出手段により検出され前記記憶手段に記憶された前記焦点調節レンズ群の位置と、前記位置検出手段が検出した最新の前記輝度情報を取得する際の前記焦点調節レンズ群の位置との差に関する数値と、前記絞り手段の絞り値に基づく閾値とを比較して、前記被写体輝度取得手段により前記輝度情報の取得を再度実行させるか否かを判断する
ことを特徴とする請求項３に記載のカメラ。
【請求項５】
被写体からの光を結像するための撮影レンズと、
前記撮影レンズにより結像された像を電気信号に変換する撮像手段と、
前記撮像手段の出力に基づき、前記被写体の結像位置を撮像面に合わせるように前記撮影レンズを移動して合焦させる焦点調節手段と、
前記撮像手段の出力に基づき前記被写体の輝度情報を取得する被写体輝度取得手段と、
前記被写体輝度取得手段の取得した前記輝度情報に基づいて露出を制御する制御手段と、
を備えるカメラにおいて、
前記焦点調節手段による前記撮影レンズの移動中に、前記撮影レンズの所定の像面位置からの像面位置変化量を算出する像面位置変化量算出手段を有し、
前記制御手段は、前記像面位置変化量算出手段の出力する前記像面位置変化量に基づいて、前記被写体輝度取得手段により前記輝度情報の取得を実行するか否か判断するとともに、取得した前記輝度情報と対応する前記像面位置または前記像面位置変化量を記憶し、前記焦点調節手段により合焦状態が得られた際に、上記記憶している複数の前記輝度情報と対応する前記像面位置または前記像面位置変化量のうちから、前記合焦状態での前記像面位置変化量に最も近い前記像面位置変化量に対応する前記輝度情報を選択する
ことを特徴とするカメラ。
【請求項６】
前記制御手段により制御され、前記撮影レンズを通過する光束を制限する絞り手段を有し、
前記制御手段は、前記像面位置変化量算出手段の出力する前記像面位置変化量と、前記絞り手段で設定される絞り値に関する閾値とを比較して、前記被写体輝度取得手段により前記輝度情報の取得を実行するか否か判断する
ことを特徴とする請求項５に記載のカメラ。
【請求項７】
前記制御手段は、前記像面位置変化量算出手段の出力する前記像面位置変化量が、前記絞り手段で設定される前記絞り値に関する前記閾値を超えると、前記被写体輝度取得手段により前記輝度情報の取得を実行させる
ことを特徴とする請求項６に記載のカメラ。
【請求項８】
撮影レンズにより撮像手段に結像された被写体の輝度情報を取得する際に前記撮影レンズの光学状態を示す情報を記憶する第１ステップと、
過去に前記輝度情報を取得した際に記憶した前記撮影レンズの前記光学状態を示す情報と、最新の前記輝度情報を取得する際の前記撮影レンズの前記光学状態を示す情報とに基づいて、前記輝度情報の取得を再度実行するか否かを判断する第２ステップと、
を含むカメラの測光方法。
【請求項９】
前記第２ステップでは、前記撮影レンズを構成する焦点調節レンズ群を移動させて前記撮影レンズを前記被写体に合焦させた後に、前記輝度情報の取得を再度実行するか否かを判断する
ことを特徴とする請求項８に記載のカメラの測光方法。
【請求項１０】
前記撮影レンズの前記光学状態を示す情報は、前記撮影レンズを通過する光束を制限する絞り手段にて設定される絞り値と、前記撮影レンズを構成する焦点調節レンズ群の位置を含む
ことを特徴とする請求項８に記載のカメラの測光方法。
【手続補正２】
【補正対象書類名】明細書
【補正対象項目名】０００８
【補正方法】変更
【補正の内容】
【０００８】
本発明の第１の観点は、被写体からの光を結像するための撮影レンズと、
前記撮影レンズにより結像された像を電気信号に変換する撮像手段と、
前記撮像手段の出力に基づき前記被写体の輝度情報を取得する被写体輝度取得手段と、
前記被写体輝度取得手段の取得した前記輝度情報に基づいて露出を制御する制御手段と、
前記被写体輝度取得手段が前記輝度情報を取得する際の前記撮影レンズの光学状態を示す情報を記憶する記憶手段を有し、
前記制御手段は、過去に前記被写体輝度取得手段が前記輝度情報を取得した際に前記記憶手段に記憶した前記撮影レンズの前記光学状態を示す情報と、最新の前記輝度情報を取得する際の前記撮影レンズの前記光学状態を示す情報とに基づいて、前記被写体輝度取得手段により前記輝度情報の取得を再度実行させるか否かを判断する
カメラを提供する。
本発明の第２の観点は、被写体からの光を結像するための撮影レンズと、
前記撮影レンズにより結像された像を電気信号に変換する撮像手段と、
前記撮像手段の出力に基づき、前記被写体の結像位置を撮像面に合わせるように前記撮影レンズを移動して合焦させる焦点調節手段と、
前記撮像手段の出力に基づき前記被写体の輝度情報を取得する被写体輝度取得手段と、
前記被写体輝度取得手段の取得した前記輝度情報に基づいて露出を制御する制御手段と、
を備えるカメラにおいて、
前記焦点調節手段による前記撮影レンズの移動中に、前記撮影レンズの所定の像面位置からの像面位置変化量を算出する像面位置変化量算出手段を有し、
前記制御手段は、前記像面位置変化量算出手段の出力する前記像面位置変化量に基づいて、前記被写体輝度取得手段により前記輝度情報の取得を実行するか否か判断するとともに、取得した前記輝度情報と対応する前記像面位置または前記像面位置変化量を記憶し、前記焦点調節手段により合焦状態が得られた際に、上記記憶している複数の前記輝度情報と対応する前記像面位置または前記像面位置変化量のうちから、前記合焦状態での前記像面位置変化量に最も近い前記像面位置変化量に対応する前記輝度情報を選択する
カメラを提供する。
本発明の第３の観点は、撮影レンズにより撮像手段に結像された被写体の輝度情報を取得する際に前記撮影レンズの光学状態を示す情報を記憶する第１ステップと、
過去に前記輝度情報を取得した際に記憶した前記撮影レンズの前記光学状態を示す情報と、最新の前記輝度情報を取得する際の前記撮影レンズの前記光学状態を示す情報とに基づいて、前記輝度情報の取得を再度実行するか否かを判断する第２ステップと、
を含むカメラの測光方法を提供する。